(57)【要約】【課題】携帯端末においてプロジェクタ機能を実現する場合に、コストの削減ができ、各種部品の設置スペースを従来よりも確保できる携帯端末を提供する。【解決手段】携帯端末は、第１の筐体と第２の筐体からなり、両筐体は、互いの相対位置関係が変化可能な可変型の端末である。第１の筐体には、従来から備わっているカメラと、カメラ用ライトとが同一の面に備えられており、第２の筐体には、投射する画像を表示するための透過型ＬＣＤ１８２と、透過型ＬＣＤ１８２に映し出された画像を拡大投射するためのプロジェクタレンズ１８１とが備えられている。そして、携帯端末は、カメラ用ライト１７２と、透過型ディスプレイ１８２とが対向する位置関係になるように変形可能に構成されている。【選択図】図５
2010177879.tif 000002
【特許請求の範囲】
【請求項１】
第１筐体と第２筐体とが互いに相対位置関係が変化しうる状態で接続されてなる携帯端末であって、
前記第１筐体は、
撮像部と、
前記撮像部にて撮像するときに用いる発光部とを備え、
前記第２筐体は、
開口部と、
前記開口部に設けられた透過型ディスプレイと、
投射用レンズとを備え、
前記第１筐体と前記第２筐体とが互いに重なる特定の相対位置関係にあるときは、前記開口部は前記発光部の発光方向に位置し、前記透過型ディスプレイは前記投射用レンズと前記発光部との間に位置する
ことを特徴とする携帯端末。
【請求項２】
前記携帯端末は前記第１筐体と、前記第２筐体とがヒンジにより回動自在に接続された折畳み型携帯端末であり、
前記撮像部と前記発光部とは、前記第１筐体の第１の主面側に設けられ、
前記透過型ディスプレイは、前記第２筐体の第１の主面側に設けられ、
前記投射用レンズは、前記第２筐体の第２の主面側に設けられ、
前記第１筐体と前記第２筐体は、前記携帯端末が画像を投射する際には、前記第１筐体の第１の主面と、前記第２筐体の第１の主面が対向する相対位置関係を有する
ことを特徴とする請求項１記載の携帯端末。
【発明の詳細な説明】
【技術分野】
【０００１】
本発明は、プロジェクタ機能を備えた携帯電話機に関する。
【背景技術】
【０００２】
近年、携帯電話機は様々な機能を備えるようになっている。その一環として、プロジェクタ機能を備える携帯電話機が考案されている。
携帯電話機におけるプロジェクタ機能を実現するために、光源を内蔵しており、携帯電話機にも搭載できるサイズの小型のプロジェクタ装置が開発されている。
また、特許文献１には、図１２に示すように、透過型ディスプレイ２３と、プロジェクタレンズ２６とを、通常は寝かせておき、プロジェクタ機能を必要とする場合に、立つように変形可能にし、ＬＥＤ３５を光源として画像をスクリーン４１に投影できるように構成した携帯電話機が開示されている。
【先行技術文献】
【特許文献】
【０００３】
【特許文献１】特開２００７−２６７２９２号公報
【発明の概要】
【発明が解決しようとする課題】
【０００４】
ところで、上記の小型のプロジェクタ装置の場合であっても、特許文献１の場合であっても、携帯電話機において、プロジェクタ用の光源が搭載されている。携帯電話機は小型の機器であり、その搭載スペースには限りがある。小型のプロジェクタ装置が開発され、その小型化が進められているとはいえ、携帯電話機のような小型の機器においては各種部品を搭載するためのスペースの確保のために、更なる小型化、設置スペースの縮小化に係る工夫が要求される。
【０００５】
そこで、本発明においては、上述に示すようなプロジェクタ機能を備える携帯電話機において、従来よりもプロジェクタ機能を実現するにあたり必要とされる部品の搭載スペースを縮小できる携帯電話機を提供することを目的とする。
【課題を解決するための手段】
【０００６】
上記課題を解決するため、本発明は、第１筐体と第２筐体とが互いに相対位置関係が変化しうる状態で接続されてなる携帯端末であって、前記第１筐体は、撮像部と、前記撮像部にて撮像するときに用いる発光部とを備え、前記第２筐体は、開口部と、前記開口部に設けられた透過型ディスプレイと、投射用レンズとを備え、前記第１筐体と前記第２筐体とが互いに重なる特定の相対位置関係にあるときは、前記開口部は前記発光部の発光方向に位置し、前記透過型ディスプレイは前記投射用レンズと前記発光部との間に位置することを特徴としている。
【発明の効果】
【０００７】
上述のような構成によって、携帯端末において従来から備わっているカメラ用ライトを画像の投射用、即ちプロジェクタ用の光源として共用することで、プロジェクタ用の新たな光源を設けずともプロジェクタ機能を実現できる。
【図面の簡単な説明】
【０００８】
【図１】（ａ）は、携帯電話機１００の外観図であり、（ｂ）は携帯電話機１００のヒンジ及びその回転軸を説明するための図である。
【図２】（ａ）は、携帯電話機１００の正面図であり、（ｂ）は、その裏面を示す図である。
【図３】（ａ）は、携帯電話機１００の透過型ＬＣＤ１８２が配される位置の拡大図である。（ｂ）は（ａ）におけるＡ−Ａ´線で携帯電話機１００を切断した場合の断面図である。
【図４】携帯電話機１００の機能構成を示した機能ブロック図である。
【図５】携帯電話機１００が（ａ）から（ｄ）の順に形態が変化することを示す図である。
【図６】カメラ用ライトを点灯させる場合の携帯電話機における制御を示したフローチャートである。
【図７】（ａ）は、実施例２に係る携帯電話機の外観図であり、（ｂ）は、実施例２に係る携帯電話機のヒンジ及びその回転軸を説明するための図である。
【図８】（ａ）は、実施例２に係る携帯電話機の正面図であり、（ｂ）は、その裏面を示す図である。
【図９】携帯電話機７００が（ａ）から（ｄ）の順に形態が変化することを示す図である。
【図１０】（ａ）は、スライド型携帯電話機１０００の外観図であり、（ｂ）は、スライド型携帯電話機１０００の（ａ）に示した状態の裏側の外観図である。
【図１１】スライド型携帯電話機１０００の分解斜視図である。
【図１２】従来におけるプロジェクタ機能を備えた携帯電話機の外観図である。
【発明を実施するための形態】
【０００９】
以下、本発明の一実施形態である携帯電話機について図面を用いて説明する。
＜実施の形態１＞
＜構成＞
図１（ａ）は、携帯電話機１００の外観図である。図１（ａ）に示されるように携帯電話機１００は上部筐体２００と下部筐体３００とがヒンジで接続されてなる折畳み型携帯電話機である。
【００１０】
上部筐体２００は、ＬＣＤ１４１及び、透過型ＬＣＤ１８２を同一の面に備える。
透過型ＬＣＤ１８１は、プロジェクタ機能で投射する画像を表示するためのＬＣＤである。
また、図１（ｂ）は、携帯電話機１００の回転軸を示す図であり、携帯電話機１００の回転軸４０１と、回転軸４０２と、回転軸４０３の３本の回転軸を備えるヒンジ４００により回動自在に変形する。なお、ヒンジ４００は、２軸ヒンジを２つ接合させたような形状をしている。
【００１１】
図２（ａ）は、図１に示す携帯電話機１００のディスプレイ１４１のある第１面を示しており、図２（ｂ）は、図２（ａ）に示した状態の裏面を示す図である。
図２（ａ）に示すように、携帯電話機１００の上部筐体２００の第１面には、ＬＣＤ１４１と、透過型ＬＣＤ１８２とを備える。そして、下部筐体３００の第１面は、数字キーや、決定キーなどの諸キー群が配されている。
【００１２】
また、図２（ｂ）に示すように、携帯電話機１００の上部筐体２００の第２面には、サブディスプレイ１４２と、透過型ＬＣＤ１８２が配される裏側に位置する場所にプロジェクタレンズ１８１とが設けられる。プロジェクタレンズ１８１は、画像を拡大して投射させるためのもので、一定の拡大率を有するレンズである。
図３は、透過型ＬＣＤ１８２及びプロジェクタレンズ１８１が搭載される部分の携帯電話機１００の拡大図であり、図３（ａ）を見れば分かるように、透過型ＬＣＤ１８２の裏側に該当する位置にプロジェクタレンズ１８１が配されている。図３（ｂ）は、図３（ａ）におけるＡ−Ａ´線で携帯電話機を切断した場合の断面図であり、プロジェクタレンズ１８１と透過型ＬＣＤ１８２の間は空洞になっている。なお、図３においては示していないが、通常プロジェクタレンズ１８１の外側には、プロジェクタレンズ１８１を保護するために透明な強化プラスチックなどのカバーが配される。
【００１３】
図４は、携帯電話機１００の機能構成を示した機能ブロック図である。
図４に示すように携帯電話機１００は、通信部１１０と、操作部１２０と、音声処理部１３０と、表示部１４０と、記憶部１５０と、検出部１６０と、撮影部１７０と、投射部１８０と、制御部１９０とを含んで構成される。
通信部１１０は、通信用のアンテナ１１１から受け取った受信信号を受話音声信号及び受信データ信号に復調し、復調した受話音声信号や、受信データ信号を制御部１９０に出力する機能を有する。また、通信部１１０は、音声処理部１３０でＡ／Ｄ変換された送話音声信号、及び制御部１９０から与えられる電子メールなどの送信データ信号を変調し、アンテナ１１１から出力する機能を有する。
【００１４】
操作部１２０は、テンキー群、オンフックキー、オフフックキー、方向キー、決定キー、メールキー、サイドキーなどを含み、ユーザの操作を受け付け、受け付けた操作内容を制御部１９０に出力する機能を有する。
音声処理部１３０は、通信部１１０から出力された受話音声信号をＤ／Ａ変換してスピーカ１３２に出力する機能と、マイク１３１から取得した送話音声信号をＡ／Ｄ変換し、変換された信号を制御部１９０に出力する機能を有する。
【００１５】
表示部１４０は、ＬＣＤ（Liquid Crystal Display）などによって実現されるディスプレイを含み、制御部１９０の指示による画像をディスプレイに表示する機能を有する。
記憶部１５０は、ＲＯＭ（Read Only Memory）、ＲＡＭ（Random Access Memory）を含んで構成され、小型ハードディスクや不揮発性メモリなどによって実現される。記憶部１５０は、携帯電話機１００の動作上必要な各種データやプログラムの他、音楽データや画像データなどを記憶する機能を有する。
【００１６】
検出部１６０は、ヒンジ４００の各回転軸に備えられている回転角センサを用いて各回転軸４０１、４０２、４０３の角度値がプロジェクタ機能による画像を投射する時に形成すべき角度になっているかどうかを検出し、プロジェクタ投射が可能な場合にその旨を制御部１９０に伝達する機能を有する。プロジェクタ投射時になす角度については、製造段階で、プロジェクタ投射形態になっているときの各回転角センサが示す角度を計測して記憶しておく。
【００１７】
撮影部１７０は、カメラレンズ１７１と、カメラ用ライト１７２とを含んで構成され、制御部１９０の指示に従い、撮影を実行する機能を有する。カメラ用ライト１７２はユーザからの指示に従い点灯、消灯が実行される。カメラ用ライト１７２は、カメラを用いて撮影を行う場合に、十分な光量が確保できない場合に、光量を確保するために点灯される。
【００１８】
投射部１８０は、プロジェクタレンズ１８１と、透過型ＬＣＤ１８２とを含んで構成され、プロジェクタとしての機能を有する。投射部１８０は、ユーザからのプロジェクタ起動の指示入力により起動され、検出部１６０が携帯電話機１００が投射可能な形態になっていることを検出した場合に、カメラ用ライト１７２を投射に適した光量に設定して、透過型ＬＣＤに投射すべき画像を表示させて投射を実行する機能を有する。なお、投射に適した光量の設定は、事前に光量の設定値を順次変更していってユーザが投射される画像が見やすいと感じる設定値を予め決定して記憶しておき、プロジェクタ機能を実行する場合にカメラ用ライト１７２の光量をその設定値に設定する。
【００１９】
制御部１９０は、例えばＣＰＵ（Central Processing Unit）などにより実現され、携帯電話機１００の各部を制御する機能を有する。
＜形態変化＞
ここから、携帯電話機１００におけるプロジェクタを使用する形態への形態変化について説明する。本発明に係る携帯電話機１００は、図５（ａ）〜（ｄ）の順にユーザの手によって変形が可能な折畳み型携帯電話機である。
【００２０】
図５は、その携帯電話機１００の形態変化を示す図である。まず、携帯電話機１００が図５（ａ）に示されるように１８０度開いた状態になっているものとする。
その状態から回転軸４０２を中心に上部筐体２００を１８０度回転させて、図５（ｂ）の形態に変化させる。
次に、図５（ｂ）に示す形態から、回転軸４０１と回転軸４０３とを回転させて、携帯電話機１００を図５（ｃ）に示すように折り曲げていく。
【００２１】
そして、最終的に図５（ｄ）に示すように、携帯電話機１００を折り曲げた状態にすると、上部筐体２００に設けられた透過型ＬＣＤ１８２と、カメラ用ライト１７２とが正対する形状になっており、カメラ用ライト１７２を光源として、透過型ＬＣＤ１８２に表示される画像をプロジェクタレンズ１８１で拡大して投射できる形態になる。
＜動作＞
ここから、実施の形態１において、カメラ用ライト１７２を使用する場合の携帯電話機１００の制御部が実行する制御について説明する。
【００２２】
図６は、カメラ用ライトを使用する際の携帯電話機の動作を示したフローチャートである。
携帯電話機１００の検出部１６０は、ヒンジ４００の各回転軸が所定の角度になっているかを検出して、画像の投射が可能な状態になっているか否かを検出する（ステップＳ６０１）。
【００２３】
検出部１６０が携帯電話機１００が、プロジェクタによる画像が投射可能な状態になっていると判定した場合であって、（ステップＳ６０１のＹＥＳ）、携帯電話機１００の操作部１２０からのユーザ入力によるプロジェクタの起動指示がなされた場合（ステップＳ６０２のＹＥＳ）、制御部１９０は、投射部１８０を起動する。
そして、投射部１８０は、制御部１９０の指示になる画像を透過型ＬＣＤ１８２に表示させるとともに、カメラ用ライト１７２を画像の投射に適した明るさに設定し、画像の投射を実行する（ステップＳ６０３）。なお、プロジェクタ機能が起動されない場合には（ステップＳ６０２のＮＯ）、携帯電話機１００は、プロジェクタに係る処理は実行しない。
【００２４】
一方、検出部１６０が携帯電話機１００が、画像を投射可能な形態になっていないと検出している場合であって（ステップＳ６０１のＮＯ）、カメラ用ライト１７２の点灯を操作部１２０を介したユーザ入力により指示された場合に（ステップＳ６０４のＹＥＳ）、撮影部１７０は、カメラ用ライト１７２を点灯させる。このとき、撮影部１７０は、携帯電話機１００が画像を撮影する撮影モードになっているかどうかを判定する（ステップＳ６０５）。
【００２５】
携帯電話機１００が撮影モードにある場合には（ステップＳ６０５のＹＥＳ）、撮影部１７０は、カメラ用ライト１７２を撮影に適した明るさに調整して、ユーザの指示に基づいて撮影を行う（ステップＳ６０６）。なお、カメラ用ライト１７２が点灯されていない場合（ステップＳ６０４のＮＯ）には、そのまま処理を終了する。
以上が、カメラ用ライト１７２の調整に係る処理である。
【００２６】
上述してきたように、本発明に係る携帯電話機１００は、その形態を変化させることで、カメラ用ライト１７２を光源としての画像の投射を可能とする位置にプロジェクタレンズ１８１と、透過型ＬＣＤ１８２とを配することにより、プロジェクタ専用の光源を設けることなく、画像の投射を実行することができる。これにより、プロジェクタ専用の光源を設けるためのコストの上昇、プロジェクタ専用の光源を設置することによりその他の部品設置スペースの縮小といった事態を回避できる。
＜実施の形態２＞
上記実施の形態１では、３軸の回転軸を有する携帯電話機を例に説明したが、ここでは、２軸の回転軸しかない場合でも所望の効果を得られる構成が実現できることを示す。
＜構成＞
実施の形態２に係る携帯電話機７００は、図７（ａ）に示すように、上部筐体７１０と、下部筐体７２０とがヒンジを介して接続される折畳み型携帯電話機である。
【００２７】
図７（ａ）に示されるように、上部筐体７１０は、その第１の主面に、表示用のディスプレイ１４１と、プロジェクタレンズ１８１を備える。
携帯電話機７００は、図７（ｂ）に示されるように、ヒンジ７５０ａとヒンジ７５０ｂの二つのヒンジによって形成される回転軸７５１と、回転軸７５２とにより上部筐体７１０と下部筐体７２０が回動自在に変形させることができる。
【００２８】
図８（ａ）は、携帯電話機７００の第１の主面側を示す正面図であり、図８（ｂ）は、図８（ａ）に示す携帯電話機７００の裏面に当たる第２の主面側を示す正面図である。
実施の形態１に示した携帯電話機１００の場合とは異なり、図８（ａ）に示すように携帯電話機７００は表示用のディスプレイ１４１を備える第１の主面側にプロジェクタレンズ１８１を備え、図８（ｂ）に示すように第１の主面の裏側にあたる第２の主面側に透過型ＬＣＤ１８２を備えている。
＜形態変化＞
上述のように携帯電話機７００を構成することにより、図９に示す形態変化を実現する。
【００２９】
図９（ａ）に示すように携帯電話機７００が、上部筐体７１０の表示用ディスプレイ１４１がある第１の主面と、下部筐体７２０のテンキー群が配された第１の主面とが対向する閉じられた形態にあるものとする。
ユーザは、携帯電話機７００の二つのヒンジ７５０ａと、ヒンジ７５０ｂとを回転させて、図９（ａ）に示す状態から、図９（ｂ）、図９（ｃ）のように形態を変化させていく。
【００３０】
そして、ユーザは、上部筐体７１０を約３６０°回転させて、上部筐体７１０の第２の主面と、下部筐体７２０の第２の主面とが対向する図９（ｄ）の形態になるまで変化させる。
図９（ｄ）の形態になることで、下部筐体８２０の第２の主面にあるカメラ用ライト１７２と、上部筐体７１０のが第２の主面にある透過型ＬＣＤ１８２とが対向するようになり、画像の投射が可能となる形態になる。
【００３１】
このように携帯電話機７００を構成しても、従来から備わっているカメラ用ライト１７２を使用して、画像の投射を実現できる。
＜補足＞
上記実施の形態において、本発明の実施の手法について説明してきたが、本発明の実施形態がこれに限られないことは勿論である。以下、上記実施形態以外に本発明として含まれる各種の変形例について説明する。
（１）上記実施の形態においては、携帯端末の一例として携帯電話機を例に説明したが、本発明に係る携帯端末は、これに限らず、形態変化が可能なように構成された携帯端末であればよく、例えばＰＤＡなどであってもよい。
（２）上記実施の形態においては、携帯電話機がプロジェクタ投射可能な状態になっているかどうかをヒンジ４００に備えられた回転角センサが所定の値を示しているか否かによって検出することとしたが、携帯電話機がプロジェクタ投射可能な状態になっているかが検出できれば、その他の構成を用いることとしてもよい。
【００３２】
例えば、上部筐体２００にマグネットを、そして下部筐体３００にマグネットセンサを備えることとし、携帯電話機がプロジェクタ投射可能な状態（図５（ｄ）の形態や、図９（ｄ）の形態）になったときに、対向するように配置する。図５（ｄ）の状態になるとマグネットセンサはマグネットの存在を検出（一定の磁場を検出）することで、制御部１９０は、携帯電話機１００がプロジェクタ投射可能な状態になっていると判断してもよい。
（３）上記実施の形態においてはプロジェクタによる画像の投射が可能な形態にしてからプロジェクタを起動する構成としたが、プロジェクタを起動してから、携帯電話機１００の形態をプロジェクタによる画像の投射が可能な形態に変形させることとしてもよい。この場合、携帯電話機１００における形態の検出機構は搭載しなくともよい。
（４）上記実施の形態においては、折畳み型の携帯電話機を例に説明したが、形態変化が可能であるものであれば、その他のものでもよく、例えばスライド型の携帯電話機であってもよい。
【００３３】
以下にスライド型の携帯電話機を用いる場合の各部品配置の一例について図１０及び図１１を用いて説明する。
図１０（ａ）は、スライド型携帯電話機１０００の外観図であり、図１０（ｂ）は、図１０（ａ）に示した状態のスライド型携帯電話機１０００の裏側の外観図である。また、図１１は、スライド型携帯電話機１０００の分解斜視図である。
【００３４】
スライド型携帯電話機１０００は、図１１に示す上部筐体１００１と下部筐体１００２とが丁度重なり合うスライド型携帯電話機でいう閉じた状態と、図１０（ａ）に示すテンキー群が露出する開いた状態との間で、スライドにより開閉自在に構成され、上部筐体１００１と下部筐体１００２との相対位置関係が変化するように構成されている。
図１０（ａ）に示すようにスライド型携帯電話機１０００は、上部筐体１００１と下部筐体１００２とが接続されてなる。上部筐体１００１は、表示画面となるＬＣＤを備え、下部筐体１００２は、テンキー群を備える。
【００３５】
図１０（ｂ）に示すように、上部筐体１００１は、上部筐体１００１のＬＣＤが備えられている面とは反対側の面に、カメラレンズ１７１とカメラ用ライト１７２とを備える。
また、図１２（ｂ）に示すように下部筐体１００２は、テンキー群が配されている面とは反対側の面にプロジェクタレンズ１８１を備える。そして、テンキー群が配されている面には、図１１に示すように透過型ＬＣＤ１８２が備えられており、プロジェクタレンズ１８１に対向する位置に配されている。
【００３６】
図１１は、上部筐体１００１と下部筐体１００２とが対向し重なり合うスライド型携帯電話機でいう閉じた状態における分解斜視図であり、この状態においては、カメラ用ライト１７２と透過型ＬＣＤ１８２とが対向するように両部品が配されており、画像の投射が可能となる。
スライド型携帯電話機では、上述の構成にすることにより、カメラ用ライト１７２を画像の投射用の光源として使用することができる。
（５）上記実施の形態においては、プロジェクタレンズ１８１は、第２筐体に固定されるように構成したが、表示される画面のサイズや、ピント等を調整するために可動できるように構成するとしてもよい。この構成は従来からもプロジェクタ装置に備わっているものであるので、ここではその詳細は割愛する。
（６）上記実施の形態におけるステップＳ６０２の処理、即ちプロジェクタ起動を支持するユーザの入力のあるなしの検出は省いてもよい。即ち、携帯電話機１００の撮影部１８０は、検出部１６０がプロジェクタによる画像の投射が可能な形態になったことを検出された場合に、自動的に投射部１８０が起動されることとしてもよい。そして、検出部１６０がプロジェクタによる画像の投射が不可能な形態になったことを検出した場合に、投射部１８０は自動的に画像の投射を停止、即ち、カメラ用ライト１７２を消灯させ、透過型ＬＣＤ１８２への画像の表示を停止することとしてもよい。
（７）上記実施の形態において、携帯電話機１００の形態変化及びプロジェクタレンズ１８１などの各部品の配置について説明した。ここでは、プロジェクタ機能を実行しているときの携帯電話機において実行されてもよい構成について説明する。
【００３７】
例えば、携帯電話機は、プロジェクタ機能を実行しているときに、投射している画像を表示部１４０で表示することとしてもよい。また、操作部１２０に対するユーザの操作により、例えば、静止画を投射している場合には、方向キーの押下に基づき次の画像を表示したり、投射している画像が動画である場合には、再生（決定キーの押下）、巻き戻し（左方向キーの押下）、早送り（右方向キーの押下）、一時停止（上方向キーの押下）、停止（下方向キーの押下）等の操作ができてもよい。また、動画の再生停止操作が行われた場合には、プロジェクタ機能そのものを終了することとしてもよい。なお、ここで示したキーへの操作の割当は一例であり、テンキー群やサイドキーに再生、停止などの各機能を割り振ることとしてもよい。
【００３８】
また、携帯電話機がワンセグ等の放送波を受信できる機能を有している場合には、受信した放送を投射することとしてもよい。これによって、ユーザは、携帯電話機の小さな表示画面ではなく、投射される大きな画像をみて放送を楽しむことができる。
また、携帯電話機は、プロジェクタの機能を実行しつつ、その他のプロジェクタ機能に関連しない処理を実行してもよく、例えば映像を投射しつつ、メールの作成が行われてもよい。
【００３９】
その他にも、プロジェクタの機能を実行して、画像を投射している場合には、表示部のバックライトを消灯して、省電力を図ることとしてもよい。
また、画像の投射について、携帯電話機の形態如何にかかわらず、ユーザによる入力操作等により投射を中止できる構成にしてもよい。
【産業上の利用可能性】
【００４０】
本発明に係る携帯電話機は、部品の搭載スペースが従来よりも多いプロジェクタ機能付き携帯電話機として活用することができる。
【符号の説明】
【００４１】
１００、７００  携帯電話機
１１０  通信部
１２０  操作部
１３０  音声処理部
１４０  表示部
１４１  ＬＣＤ
１５０  記憶部
１６０  検出部
１７０  撮影部
１７１  カメラレンズ
１７２  カメラ用ライト
１８０  投射部
１８１  プロジェクタレンズ
１８２  透過型ＬＣＤ
１９０  制御部
２００、７１０  上部筐体
３００、７２０  下部筐体
４００、７５０ａ、７５０ｂ  ヒンジ
【図１】
2010177879.tif 000003
【図２】
2010177879.tif 000004
【図３】
2010177879.tif 000005
【図４】
2010177879.tif 000006
【図５】
2010177879.tif 000007
【図６】
2010177879.tif 000008
【図７】
2010177879.tif 000009
【図８】
2010177879.tif 000010
【図９】
2010177879.tif 000011
【図１０】
2010177879.tif 000012
【図１１】
2010177879.tif 000013
【図１２】
2010177879.tif 000014